(57)【特許請求の範囲】
【請求項１】
筐体の外面に設けられた電子部品を覆う覆い部と、
前記覆い部の第１端面に設けられ前記筐体に設けられた第１筐体側係止部に係止される第１カバー側係止部と、
前記覆い部の前記第１端面と第１方向に沿って対向する第２端面に設けられるアーム部材と、
前記アーム部材に設けられ前記筐体に設けられた第２筐体側係止部に係止される第２カバー側係止部とを備え、
前記アーム部材は、前記第２端面の前記第１端面側で前記第１方向に沿って前記第２端面と対向し前記第１端面側の面に前記第２カバー側係止部が設けられる第１板状部と、前記第１板状部と前記第２端面との間に設けられる第２板状部と、前記第１板状部と前記第２板状部とを屈曲可能に接続する第１屈曲部と、前記第２板状部と前記第２端面とを屈曲可能に接続する第２屈曲部とを有することを特徴とする、
カバー部材。
【請求項２】
前記第１板状部と前記第２端面との間に設けられ、前記第２筐体側係止部と前記第２カバー側係止部との係止を解除可能で、かつ、前記第１屈曲部が弾性域にある位置で前記第１板状部と当接する第１規制突起部を備える、
請求項１に記載のカバー部材。
【請求項３】
前記筐体と当接し、前記第１方向に沿った前記第１筐体側係止部と前記第１カバー側係止部とが離間する側への相対移動を規制する第２規制突起部を備える、
請求項１又は請求項２に記載のカバー部材。
【請求項４】
前記アーム部材は、前記第１板状部の先端部に前記第１端面側に突出する突出部を有する、
請求項１乃至請求項３のいずれか１項に記載のカバー部材。
【請求項５】
電子部品が設けられる筐体と、
前記筐体の外面に設けられた前記電子部品を覆う覆い部、前記覆い部の第１端面に設けられ前記筐体に設けられた第１筐体側係止部に係止される第１カバー側係止部、前記覆い部の前記第１端面と第１方向に沿って対向する第２端面に設けられるアーム部材、及び、前記アーム部材に設けられ前記筐体に設けられた第２筐体側係止部に係止される第２カバー側係止部を有するカバー部材とを備え、
前記アーム部材は、前記第２端面の前記第１端面側で前記第１方向に沿って前記第２端面と対向し前記第１端面側の面に前記第２カバー側係止部が設けられる第１板状部と、前記第１板状部と前記第２端面との間に設けられる第２板状部と、前記第１板状部と前記第２板状部とを屈曲可能に接続する第１屈曲部と、前記第２板状部と前記第２端面とを屈曲可能に接続する第２屈曲部とを有することを特徴とする、
電気接続箱。
【発明の詳細な説明】
【技術分野】
【０００１】
本発明は、カバー部材、及び、電気接続箱に関する。
【背景技術】
【０００２】
車両等に搭載されるワイヤハーネスに適用される従来の電気接続箱として、例えば、特許文献１には、ヒューズを挟持可能なヒューズクランプ冶具によって挟持される被クランプ部を開口側に向けて複数のヒューズが収容されるヒューズ収容部と、開口を塞ぐためのヒューズカバーとを有してなるヒューズボックスが開示されている。このヒューズカバーは、被クランプ部の形状に対応してヒューズクランプ冶具によって挟持可能に形成されてなり、かつ近傍の外表面に対して外表面の面位置を揃える、あるいは凹ませるように形成されてなる非突出クランプ部を有してなることで、ヒューズカバーが外部からの接触によって外れ難く、かつヒューズカバーの取り外しに煩雑な作業を有しないように構成されている。
【先行技術文献】
【特許文献】
【０００３】
【特許文献１】特開２０１３−１２０６３８号公報
【発明の概要】
【発明が解決しようとする課題】
【０００４】
ところで、上述の特許文献１に記載のヒューズボックスのヒューズカバーは、例えば、治具等を用いなくても取り外し可能にするなど、より容易に取り外しができる構成が望まれている。
【０００５】
本発明は、上記の事情に鑑みてなされたものであって、容易に取り外すことができるカバー部材、及び、電気接続箱を提供することを目的とする。
【課題を解決するための手段】
【０００６】
上記目的を達成するために、本発明に係るカバー部材は、筐体の外面に設けられた電子部品を覆う覆い部と、前記覆い部の第１端面に設けられ前記筐体に設けられた第１筐体側係止部に係止される第１カバー側係止部と、前記覆い部の前記第１端面と第１方向に沿って対向する第２端面に設けられるアーム部材と、前記アーム部材に設けられ前記筐体に設けられた第２筐体側係止部に係止される第２カバー側係止部とを備え、前記アーム部材は、前記第２端面の前記第１端面側で前記第１方向に沿って前記第２端面と対向し前記第１端面側の面に前記第２カバー側係止部が設けられる第１板状部と、前記第１板状部と前記第２端面との間に設けられる第２板状部と、前記第１板状部と前記第２板状部とを屈曲可能に接続する第１屈曲部と、前記第２板状部と前記第２端面とを屈曲可能に接続する第２屈曲部とを有することを特徴とする。
【０００７】
また、上記カバー部材では、前記第１板状部と前記第２端面との間に設けられ、前記第２筐体側係止部と前記第２カバー側係止部との係止を解除可能で、かつ、前記第１屈曲部が弾性域にある位置で前記第１板状部と当接する第１規制突起部を備えるものとすることができる。
【０００８】
また、上記カバー部材では、前記筐体と当接し、前記第１方向に沿った前記第１筐体側係止部と前記第１カバー側係止部とが離間する側への相対移動を規制する第２規制突起部を備えるものとすることができる。
【０００９】
また、上記カバー部材では、前記アーム部材は、前記第１板状部の先端部に前記第１端面側に突出する突出部を有するものとすることができる。
【００１０】
上記目的を達成するために、本発明に係る電気接続箱は、電子部品が設けられる筐体と、前記筐体の外面に設けられた前記電子部品を覆う覆い部、前記覆い部の第１端面に設けられ前記筐体に設けられた第１筐体側係止部に係止される第１カバー側係止部、前記覆い部の前記第１端面と第１方向に沿って対向する第２端面に設けられるアーム部材、及び、前記アーム部材に設けられ前記筐体に設けられた第２筐体側係止部に係止される第２カバー側係止部を有するカバー部材とを備え、前記アーム部材は、前記第２端面の前記第１端面側で前記第１方向に沿って前記第２端面と対向し前記第１端面側の面に前記第２カバー側係止部が設けられる第１板状部と、前記第１板状部と前記第２端面との間に設けられる第２板状部と、前記第１板状部と前記第２板状部とを屈曲可能に接続する第１屈曲部と、前記第２板状部と前記第２端面とを屈曲可能に接続する第２屈曲部とを有することを特徴とする。
【発明の効果】
【００１１】
本発明に係るカバー部材、及び、電気接続箱は、第１カバー側係止部、第２カバー側係止部が第１筐体側係止部、第２筐体側係止部に係止されている状態で、第１板状部、第２板状部、第１屈曲部、及び、第２屈曲部によって構成されるアーム部材を覆い部側から撓ませることで、当該アーム部材に設けられた第２カバー側係止部を第２筐体側係止部に係止された状態から解放することができる。この結果、カバー部材、及び、電気接続箱は、容易に取り外すことができる、という効果を奏する。
【図面の簡単な説明】
【００１２】
【図１】図１は、実施形態に係る電気接続箱の概略構成を表す分解部分斜視図である。
【図２】図２は、実施形態に係る電気接続箱の概略構成を表す分解部分斜視図である。
【図３】図３は、実施形態に係る電気接続箱の概略構成を表す部分斜視図である。
【図４】図４は、実施形態に係る電気接続箱のカバー部材の概略構成を表す斜視図である。
【図５】図５は、実施形態に係る電気接続箱のカバー部材の概略構成を表す部分斜視図である。
【図６】図６は、図３に示すＡ−Ａ部分断面図である。
【図７】図７は、図３に示すＢ−Ｂ部分断面図である。
【図８】図８は、図３に示すＣ−Ｃ部分断面図である。
【図９】図９は、図３に示すＤ−Ｄ部分断面図である。
【図１０】図１０は、図３に示すＥ−Ｅ部分断面図である。
【図１１】図１１は、図３に示すＦ−Ｆ部分断面図である。
【図１２】図１２は、実施形態に係る電気接続箱のカバー部材の作用を説明する部分断面図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
［実施形態］
図１、図２は、実施形態に係る電気接続箱の概略構成を表す分解部分斜視図である。図３は、実施形態に係る電気接続箱の概略構成を表す部分斜視図である。図４は、実施形態に係る電気接続箱のカバー部材の概略構成を表す斜視図である。図５は、実施形態に係る電気接続箱のカバー部材の概略構成を表す部分斜視図である。図６は、図３に示すＡ−Ａ部分断面図である。図７は、図３に示すＢ−Ｂ部分断面図である。図８は、図３に示すＣ−Ｃ部分断面図である。図９は、図３に示すＤ−Ｄ部分断面図である。図１０は、図３に示すＥ−Ｅ部分断面図である。図１１は、図３に示すＦ−Ｆ部分断面図である。図１２は、実施形態に係る電気接続箱のカバー部材の作用を説明する部分断面図（図３に示すＤ−Ｄ部分断面図に相当）である。なお、図示をわかり易くするため、図１は、電線を二点鎖線で図示し、他図では電線の図示を省略している。また、図６、図７、図８、図９、図１０、図１１、図１２は、わかり易くするため電気接続箱に設けられる電子部品を二点鎖線で図示している。
【００１５】
図１、図２、図３に示す電気接続箱１は、自動車等の車両に搭載され、ワイヤハーネスＷＨに組み込まれ、電線等の接続処理用部品を構成するコネクタ、ヒューズ、リレー、コンデンサ、分岐部、電子制御ユニット等の電装品を集約して内部に収容するものである。電気接続箱１は、例えば、車両のエンジンルームや車両室内に設置され、バッテリ等の電源と、車両内に搭載される各種電子機器との間に接続されている。電気接続箱１は、電源から供給された電力を車両内の各種電子機器に分配する。なお、電気接続箱１は、ジャンクションブロック、ヒューズボックス、リレーボックスなどとも呼ばれる場合があるが、本実施形態ではこれらを総称して電気接続箱と呼ぶ。
【００１６】
ここで、ワイヤハーネスＷＨは、例えば、車両に搭載される各装置間の接続のために、電源供給や信号通信に用いられる複数の電線Ｗを束にして集合部品とし、コネクタ等で複数の電線Ｗを一度に各装置に接続するようにしたものである。ワイヤハーネスＷＨは、複数の電線Ｗと、当該電線Ｗと電気的に接続される電気接続箱１とを備える。電線Ｗは、例えば、複数の導電性の金属素線を撚り合わせた導体部（芯線）と、当該導体部の外側を覆う絶縁性の被覆部とを含んで構成される。ワイヤハーネスＷＨは、複数の電線Ｗを束ねて集約すると共に、束ねられた電線Ｗの端部に接続部としてのコネクタ等を介して電気接続箱１が電気的に接続される。ワイヤハーネスＷＨは、この他、さらに、グロメット、プロテクタ、固定具等を含んで構成されてもよい。
【００１７】
そして、電気接続箱１は、電子部品２と、電子部品２が設けられる筐体３と、筐体３の外面に設けられた電子部品２を覆うカバー部材４とを備える。電気接続箱１は、筐体３の内部に種々の電子部品２が収容され、その一部が外面に露出している。電気接続箱１は、コネクタ等を介して電線Ｗが電気的に接続され、電線Ｗと電子部品２とが電気的に接続される。以下、各図を参照して、電気接続箱１の各構成について具体的に説明する。
【００１８】
なお、以下の説明では、互いに交差する第１方向、第２方向、及び、第３方向のうち、第１方向を「長辺方向」といい、第２方向を「短辺方向」といい、第３方向を「高さ方向」という。ここでは、第１方向としての長辺方向と第２方向としての短辺方向と第３方向としての高さ方向とは、相互に直交する。また、典型的には、電気接続箱１が車両に搭載された状態で、高さ方向は、鉛直方向に沿った方向であり、長辺方向、及び、短辺方向は、水平方向に沿った方向であるものとして説明する。さらに、高さ方向において鉛直方向上側を「上側」といい、鉛直方向下側を「下側」という。また、以下の説明で用いる各方向は、特に断りの無い限り、電気接続箱１が車両に搭載された状態での方向として説明する。
【００１９】
電子部品２は、筐体３の内部に収容され、電線Ｗが電気的に接続されるものである。電子部品２は、複数設けられる。電子部品２は、例えば、コネクタ、ヒューズ、リレー、コンデンサ、分岐部、電子制御ユニット、これらをユニット化した電子部品ユニット等である。
【００２０】
筐体３は、電子部品２が設けられるものである。筐体３は、絶縁性の合成樹脂によって中空箱状に形成される。ここでは、筐体３は、短辺方向に沿った方向が短辺、長辺方向に沿った方向が長辺となる略直方体状に形成される。筐体３は、上述したように、内部に種々の電子部品２が収容され、その一部が外面に露出している。本実施形態の筐体３は、高さ方向（鉛直方向）下側の端面にヒューズ保持部３１を有しており、当該ヒューズ保持部３１が高さ方向下側の外面３ａに露出している。
【００２１】
ヒューズ保持部３１は、筐体３において、電子部品２としてのヒューズ２１が搭載される部分である。ヒューズ保持部３１は、矩形枠状に形成された枠状部３１ａと、当該枠状部３１ａ内に形成された複数のキャビティ３１ｂ（図９等も参照）を含んで構成される。枠状部３１ａは、筐体３の高さ方向下側の外面３ａから高さ方向下側に突出して形成される４枚の壁体が組み合わさることで、短辺方向に沿った方向が短辺、長辺方向に沿った方向が長辺となる略矩形枠状に形成される。キャビティ３１ｂは、枠状部３１ａによって区画される内側の空間部内に複数設けられる。各キャビティ３１ｂは、筐体３の外部と筐体３の内部とを連通している。各キャビティ３１ｂは、筐体３の外部側、ここでは、高さ方向下側からヒューズ２１が差し込まれ嵌合され、筐体３の内部側、ここでは、高さ方向上側から電線Ｗと電気的に接続される端子、バスバ等が差し込まれ嵌合される。これにより、各キャビティ３１ｂは、筐体３の高さ方向下側の外面３ａに各ヒューズ２１を露出させた状態で保持すると共に、当該ヒューズ２１と電線Ｗとが電気的に接続される。
【００２２】
そして、ヒューズ保持部３１は、枠状部３１ａの外面に第１筐体側係止部３１ｃ、第２筐体側係止部３１ｄが設けられる。第１筐体側係止部３１ｃは、枠状部３１ａの短辺方向に沿った一方の外面（言い換えれば、長辺方向の一方の端面）に設けられる。ここでは、第１筐体側係止部３１ｃは、当該枠状部３１ａの外面から長辺方向に爪状に突出した係止爪部として形成される。第１筐体側係止部３１ｃは、短辺方向に沿って間隔をあけて複数、ここでは、２つが設けられる。第２筐体側係止部３１ｄは、枠状部３１ａの短辺方向に沿った他方の外面（言い換えれば、長辺方向の他方の端面）に設けられる。つまり、第２筐体側係止部３１ｄは、枠状部３１ａにおいて、第１筐体側係止部３１ｃが設けられた外面と長辺方向に対向する外面に形成される。ここでは、第２筐体側係止部３１ｄは、当該枠状部３１ａの外面から長辺方向に爪状に突出した係止爪部として形成される。第２筐体側係止部３１ｄは、短辺方向に対して２つの第１筐体側係止部３１ｃの間の位置に応じた位置、すなわち、短辺方向の中央部近傍に形成される。
【００２３】
カバー部材４は、図１、図２、図３、図４、図５に示すように、筐体３の外面に設けられた電子部品２、ここでは、ヒューズ２１を覆うものである。カバー部材４は、絶縁性の合成樹脂によって全体として略矩形板状に形成される。本実施形態のカバー部材４は、覆い部４１と、第１カバー側係止部４２と、アーム部材４３と、第２カバー側係止部４４とを備え、これらが一体で成形されることで、筐体３から容易に取り外しができる構成としている。
【００２４】
覆い部４１は、筐体３の外面３ａに設けられた電子部品２、より詳細には、外面３ａに設けられたヒューズ保持部３１に保持されたヒューズ２１を覆う部分である。覆い部４１は、略矩形板状に形成された板状部４１ａと、略矩形枠状に形成された枠状部４１ｂとを含んで構成される。板状部４１ａは、ヒューズ保持部３１の高さ方向下側の面全体を覆うことができるように、当該ヒューズ保持部３１よりもやや大きい略矩形状に形成される。枠状部４１ｂは、板状部４１ａの縁部に沿って当該板状部４１ａを囲むように、高さ方向上側に突出した略矩形枠状に形成される。
【００２５】
また、覆い部４１は、図４、図５、図６等に示すように、枠状部４１ｂの内側（板状部４１ａ側、さらに言えば、四方が囲われた空間部側）に複数の嵌合段付部４１ｃを有する。各嵌合段付部４１ｃは、板状部４１ａと枠状部４１ｂとが交わる入隅角部に階段状に形成される。嵌合段付部４１ｃは、短辺方向に対向する位置に形成された２つを一対として形成される。そして、一対の嵌合段付部４１ｃは、長辺方向に間をあけて２組設けられる。すなわちここでは、一対の嵌合段付部４１ｃが２組、合計４つが設けられる。覆い部４１は、カバー部材４が筐体３の外面３ａのヒューズ保持部３１に装着された状態で、短辺方向に対して当該一対の嵌合段付部４１ｃの間にヒューズ保持部３１の枠状部３１ａが挟み込まれるようにして嵌合される。これにより、カバー部材４は、ヒューズ保持部３１の枠状部３１ａに対してガタツキなく装着される。
【００２６】
第１カバー側係止部４２は、図２、図４、図７、図８に示すように、覆い部４１の第１端面４１ｄに設けられ第１筐体側係止部３１ｃに係止される部分である。ここで、覆い部４１の第１端面４１ｄは、覆い部４１における長辺方向の一方の端面、言い換えれば、枠状部４１ｂの短辺方向に沿った一方の端面である。第１カバー側係止部４２は、カバー部材４が筐体３の外面３ａのヒューズ保持部３１に装着された状態で、各第１筐体側係止部３１ｃに係止可能な位置にそれぞれ１つずつ、合計２つが設けられる。各第１カバー側係止部４２は、覆い部４１の第１端面４１ｄから高さ方向に沿って形成されるロックアーム４２ａに凹部状に設けられた係合凹部として形成される。各ロックアーム４２ａは、第１端面４１ｄにおいて短辺方向に沿って間をあけて並んで設けられる。各ロックアーム４２ａは、第１端面４１ｄから高さ方向下側を基端部として、先端部が高さ方向上側に向けて突出するようにして高さ方向に沿って延在して形成される。各第１カバー側係止部４２は、各ロックアーム４２ａの該先端部に各第１筐体側係止部（係止爪部）３１ｃが係合可能な係合凹部として形成される。なおここでは、各第１カバー側係止部４２は、長辺方向に対してロックアーム４２ａを貫通していない構成となっているが、これに限らず、ロックアーム４２ａを長辺方向に貫通していてもよい。
【００２７】
アーム部材４３は、図１、図３、図４、図５、図９等に示すように、覆い部４１の第１端面４１ｄと第１方向としての長辺方向に沿って対向する第２端面４１ｅに設けられるアーム状の部分である。ここで、覆い部４１の第２端面４１ｅは、覆い部４１における長辺方向の他方の端面、言い換えれば、枠状部４１ｂの短辺方向に沿った他方の端面である。アーム部材４３は、第２端面４１ｅの高さ方向上側の端部から枠状部４１ｂの内側（板状部４１ａ側、さらに言えば、四方が囲われた空間部側）に屈曲しながら延在する。また、アーム部材４３は、覆い部４１の板状部４１ａにおいて、長辺方向の第２端面４１ｅ側の端部に形成された開口部４１ｆと高さ方向に対向する位置に形成され、これにより、高さ方向下側から開口部４１ｆを介して指等によって操作可能（アクセス可能）に形成される。
【００２８】
具体的には、アーム部材４３は、第１板状部４３ａ、第２板状部４３ｂ、第１屈曲部４３ｃ、及び、第２屈曲部４３ｄを有する。
【００２９】
第１板状部４３ａは、第２端面４１ｅの第１端面４１ｄ側で長辺方向に沿って第２端面４１ｅと対向する板状の部分である。第１板状部４３ａは、図５に示すように、略矩形状に形成された本体部４３ａａと、当該本体部４３ａａから短辺方向の両側に突出した突出部４３ａｂとを含んで構成される。各突出部４３ａｂは、略台形状に形成され、高さ方向の下側から上側に向かって短辺方向の長さが徐々に短くなるような傾斜を有している。第１板状部４３ａは、全体が高さ方向、及び、短辺方向に沿って形成される。
【００３０】
第２板状部４３ｂは、第１板状部４３ａと第２端面４１ｅとの間に設けられる板状の部分である。第２板状部４３ｂは、略矩形状に形成される。第２板状部４３ｂは、全体が長辺方向、及び、短辺方向に沿って形成される。第２板状部４３ｂは、第１板状部４３ａの高さ方向の一方側である上側の端部と、第２端面４１ｅの高さ方向の一方側である上側の端部とにわたって設けられる。
【００３１】
第１屈曲部４３ｃは、第１板状部４３ａと第２板状部４３ｂとを屈曲可能に接続する部分である。第１屈曲部４３ｃは、第１板状部４３ａの高さ方向上側の端部と、第２板状部４３ｂの長辺方向の第１板状部４３ａ側の端部とを屈曲可能に接続する。これにより、第１板状部４３ａと第２板状部４３ｂとは、第１屈曲部４３ｃを介して屈曲可能に接続される。
【００３２】
第２屈曲部４３ｄは、第２板状部４３ｂと第２端面４１ｅを屈曲可能に接続する部分である。第２屈曲部４３ｄは、第２板状部４３ｂの長辺方向の第２端面４１ｅ側の端部と、第２端面４１ｅの高さ方向上側の端部とを屈曲可能に接続する。これにより、第２板状部４３ｂと第２端面４１ｅとは、第２屈曲部４３ｄを介して屈曲可能に接続される。なおここでは、第２端面４１ｅは、第２屈曲部４３ｄの近傍の部分に、高さ方向に沿った立ち上がりを有しているが、必ずしも当該立ち上がりを有していなくてもよい。
【００３３】
アーム部材４３は、上記のように形成される第１板状部４３ａ、第２板状部４３ｂ、第１屈曲部４３ｃ、及び、第２屈曲部４３ｄが一体で形成されることで、長辺方向に沿った断面形状（図９参照）が略コの字型に形成される。アーム部材４３は、操作されていない状態で、第１板状部４３ａが第２端面４１ｅとほぼ平行となり、第２板状部４３ｂが板状部４１ａとほぼ平行となる。アーム部材４３は、開口部４１ｆより枠状部４１ｂの内側（板状部４１ａ側、さらに言えば、四方が囲われた空間部側）におさまっており、開口部４１ｆから外側に突出した部分がない状態となっている。ここでは、アーム部材４３は、第１板状部４３ａの高さ方向下側の端部が板状部４１ａとほぼ揃っている。これにより、このカバー部材４は、アーム部材４３が覆い部４１の外側に突出しない構成とすることができるので、例えば、当該アーム部材４３の先端に意図せず物体が接触したり引っ掛かったりすることを抑制することができる。
【００３４】
第２カバー側係止部４４は、図４、図５、図９等に示すように、アーム部材４３に設けられ筐体３に設けられた第２筐体側係止部３１ｄに係止される部分である。第２カバー側係止部４４は、アーム部材４３の第１板状部４３ａの第１端面４１ｄ側の面に設けられる。第２カバー側係止部４４は、第１板状部４３ａにおいて第１屈曲部４３ｃの近傍に設けられる。第２カバー側係止部４４は、カバー部材４が筐体３の外面３ａのヒューズ保持部３１に装着された状態で、第２筐体側係止部３１ｄに係止可能な位置、ここでは、短辺方向のほぼ中央部に１つ設けられる。ここでは、第２カバー側係止部４４は、第１板状部４３ａの第１端面４１ｄ側の面から長辺方向に爪状に突出した係止爪部として形成される。
【００３５】
さらに、本実施形態のカバー部材４は、図４、図５、図９、図１０、図１１等に示すように、第１規制突起部４５と、第２規制突起部４６と、突出部４７とを備え、これらも覆い部４１、第１カバー側係止部４２、アーム部材４３、第２カバー側係止部４４等と一体で成形される。
【００３６】
第１規制突起部４５は、長辺方向に対して第１板状部４３ａと第２端面４１ｅとの間に設けられ、アーム部材４３の倒れを所定の位置で規制する部分である。第１規制突起部４５は、覆い部４１の開口部４１ｆの短辺方向両側に設けられる板状部４５ａと、各板状部４５ａを補強する複数の補強リブ部４５ｂを含んで構成される（特に図５参照）。各板状部４５ａは、高さ方向、及び、短辺方向に沿った略矩形板状に形成され、長辺方向に対して第１板状部４３ａと間隔をあけて設けられる。各板状部４５ａは、覆い部４１の板状部４１ａから高さ方向上側に突出し、高さ方向に沿って枠状部４１ｂの先端とほぼ同等の位置まで延在している。複数の補強リブ部４５ｂは、各板状部４５ａと第２端面４１ｅとの間に位置して各板状部４５ａと第２端面４１ｅとを連結し補強する。第１規制突起部４５は、所定の位置として、第２筐体側係止部３１ｄと第２カバー側係止部４４との係止を解除可能で、かつ、第１屈曲部４３ｃが弾性域にある位置で、各板状部４５ａが第１板状部４３ａの突出部４３ａｂと当接するように形成される。
【００３７】
第２規制突起部４６は、筐体３と当接し、筐体３とカバー部材４との相対移動を規制する部分である。第２規制突起部４６は、覆い部４１の開口部４１ｆの短辺方向両側に設けられる。第２規制突起部４６は、高さ方向、及び、短辺方向に沿った略矩形板状に形成され、長辺方向に対して第１規制突起部４５の第１端面４１ｄ側に設けられる。ここでは、第２規制突起部４６は、長辺方向に対して第１規制突起部４５と間隔をあけて、第１板状部４３ａとほぼ同等の位置に設けられる。第２規制突起部４６は、覆い部４１の板状部４１ａから高さ方向上側に突出し、高さ方向に沿って枠状部４１ｂの先端とほぼ同等の位置まで延在している。第２規制突起部４６は、カバー部材４が筐体３の外面３ａのヒューズ保持部３１に装着された状態で、筐体３のヒューズ保持部３１の枠状部３１ａにおいて第２筐体側係止部３１ｄが設けられた面と当接する。これにより、第２規制突起部４６は、長辺方向に沿った筐体３とカバー部材４との相対移動、より詳細には、第１筐体側係止部３１ｃと第１カバー側係止部４２とが離間する側への相対移動を規制する。
【００３８】
突出部４７は、第１板状部４３ａの先端部に設けられ、第１端面４１ｄ側に突出する。ここでは、突出部４７は、第１板状部４３ａの高さ方向下側の先端部に、第１端面４１ｄ側に突出した爪状に形成され、短辺方向に沿って間をあけて２つ設けられる。
【００３９】
なお、本実施形態の電気接続箱１は、例えば、図９に一点鎖線で示すように、車両室内のインストルメントパネルＩの内側に設けられると共に、インストルメントパネルＩの高さ方向下側に設けられた開口部から電気接続箱１のカバー部材４に手が届く位置に設けられる。
【００４０】
上記のように構成される電気接続箱１は、カバー部材４の第１カバー側係止部４２、第２カバー側係止部４４が筐体３側の第１筐体側係止部３１ｃ、第２筐体側係止部３１ｄに係止されることで、カバー部材４が筐体３の外面３ａのヒューズ保持部３１に装着、係止される。これにより、電気接続箱１は、筐体３の外面３ａに設けられた電子部品２、ここでは、ヒューズ保持部３１に設けられたヒューズ２１をカバー部材４の覆い部４１で覆い保護することができる。
【００４１】
そして、電気接続箱１は、筐体３からカバー部材４を取り外す際には、図１２に示すように、第１カバー側係止部４２、第２カバー側係止部４４が第１筐体側係止部３１ｃ、第２筐体側係止部３１ｄに係止されている状態で、下記のように操作されてカバー部材４が取り外される。すなわち、電気接続箱１は、カバー部材４の覆い部４１側から手を伸ばして指で第１板状部４３ａの先端付近を押すことで、アーム部材４３を構成する第１板状部４３ａ、第２板状部４３ｂを第１屈曲部４３ｃ、第２屈曲部４３ｄを中心として第２端面４１ｅ側に撓ませ、第２カバー側係止部４４を第２筐体側係止部３１ｄから解放することができる。このとき、第２カバー側係止部４４が設けられたアーム部材４３は、第１屈曲部４３ｃ、及び、第２屈曲部４３ｄの２点を中心として、第１板状部４３ａが第２端面４１ｅ側に撓みつつ、第２板状部４３ｂが高さ方向上側（第１板状部４３ａの先端とは反対側）に撓む。これにより、カバー部材４は、第２カバー側係止部４４を第２筐体側係止部３１ｄから解放するために必要なアーム部材４３の撓み量（変位量、ストローク量）を、相対的に省スペースで確保することができる。また、電気接続箱１は、上記のようにインストルメントパネルＩ等の構造体によってカバー部材４に対して水平方向外側から手が届かない位置に設けられていても、少なくともインストルメントパネルＩの開口部を介して覆い部４１側から手を伸ばしてカバー部材４を取り外すことができるので、周辺部品との干渉を抑制した上で筐体３からカバー部材４を取り外すことができる。
【００４２】
以上で説明したカバー部材４によれば、筐体３の外面３ａに設けられた電子部品２を覆う覆い部４１と、覆い部４１の第１端面４１ｄに設けられ筐体３に設けられた第１筐体側係止部３１ｃに係止される第１カバー側係止部４２と、覆い部４１の第１端面４１ｄと長辺方向に沿って対向する第２端面４１ｅに設けられるアーム部材４３と、アーム部材４３に設けられ筐体３に設けられた第２筐体側係止部３１ｄに係止される第２カバー側係止部４４とを備える。以上で説明した電気接続箱１によれば、電子部品２が設けられる筐体３と、上記カバー部材４とを備える。以上で説明したワイヤハーネスＷＨによれば、電線Ｗと、電線Ｗと電気的に接続される電子部品２が設けられる筐体３と、上記カバー部材４とを備える。そして、アーム部材４３は、第２端面４１ｅの第１端面４１ｄ側で長辺方向に沿って第２端面４１ｅと対向し第１端面４１ｄ側の面に第２カバー側係止部４４が設けられる第１板状部４３ａと、第１板状部４３ａと第２端面４１ｅとの間に設けられる第２板状部４３ｂと、第１板状部４３ａと第２板状部４３ｂとを屈曲可能に接続する第１屈曲部４３ｃと、第２板状部４３ｂと第２端面４１ｅとを屈曲可能に接続する第２屈曲部４３ｄとを有する。
【００４３】
したがって、カバー部材４、電気接続箱１、ワイヤハーネスＷＨは、第１カバー側係止部４２、第２カバー側係止部４４が第１筐体側係止部３１ｃ、第２筐体側係止部３１ｄに係止されている状態で、第１板状部４３ａ、第２板状部４３ｂ、第１屈曲部４３ｃ、及び、第２屈曲部４３ｄによって構成されるアーム部材４３を覆い部４１側から押圧して撓ませることで、当該アーム部材４３に設けられた第２カバー側係止部４４を第２筐体側係止部３１ｄに係止された状態から解放することができる。この結果、カバー部材４、電気接続箱１、ワイヤハーネスＷＨは、例えば、治具等を用いなくても、筐体３からカバー部材４を容易に取り外すことができる。これにより、カバー部材４、電気接続箱１、ワイヤハーネスＷＨは、例えば、作業時間の短縮を図ることができる。
【００４４】
さらに、以上で説明したカバー部材４、電気接続箱１、ワイヤハーネスＷＨによれば、第１板状部４３ａと第２端面４１ｅとの間に設けられ、第２筐体側係止部３１ｄと第２カバー側係止部４４との係止を解除可能で、かつ、第１屈曲部４３ｃが弾性域にある位置で第１板状部４３ａと当接する第１規制突起部４５を備える。したがって、カバー部材４、電気接続箱１、ワイヤハーネスＷＨは、アーム部材４３を第２端面４１ｅ側に撓ませた際に、第２筐体側係止部３１ｄと第２カバー側係止部４４との係止を解除可能で、かつ、第１屈曲部４３ｃが弾性域にある位置で、第１規制突起部４５の各板状部４５ａが第１板状部４３ａの突出部４３ａｂと当接する。これにより、カバー部材４、電気接続箱１、ワイヤハーネスＷＨは、アーム部材４３が過剰に撓み、塑性変形することを防止することができる。
【００４５】
さらに、以上で説明したカバー部材４、電気接続箱１、ワイヤハーネスＷＨによれば、筐体３と当接し、長辺方向に沿った第１筐体側係止部３１ｃと第１カバー側係止部４２とが離間する側への相対移動を規制する第２規制突起部４６を備える。したがって、カバー部材４、電気接続箱１、ワイヤハーネスＷＨは、第２規制突起部４６が筐体３と当接することで、第１筐体側係止部３１ｃと第１カバー側係止部４２とが離間する側への相対移動を規制することができるので、第２カバー側係止部４４以外の箇所、すなわち、第１カバー側係止部４２の部分で筐体３とカバー部材４との係止が解除されてしまうことを抑制することができる。これにより、カバー部材４、電気接続箱１、ワイヤハーネスＷＨは、取り外し方法を単一化し、不測の外れを防止することができる。
【００４６】
さらに、以上で説明したカバー部材４、電気接続箱１、ワイヤハーネスＷＨによれば、アーム部材４３は、第１板状部４３ａの先端部に第１端面４１ｄ側に突出する突出部４７を有する。したがって、カバー部材４、電気接続箱１、ワイヤハーネスＷＨは、アーム部材４３を撓ませて第２カバー側係止部４４を第２筐体側係止部３１ｄから解放した後、筐体３からカバー部材４を高さ方向下側に取り外す際に、第１板状部４３ａの先端部に形成された突出部４７が指の掛かり部として機能するので、さらに容易に筐体３からカバー部材４を取り外すことができる。
【００４７】
なお、上述した本発明の実施形態に係るカバー部材、及び、電気接続箱は、上述した実施形態に限定されず、特許請求の範囲に記載された範囲で種々の変更が可能である。
【００４８】
以上の説明では、高さ方向は、鉛直方向に沿った方向であり、長辺方向、及び、短辺方向は、水平方向に沿った方向であるものとして説明したがこれに限らない。また、第１方向は、長辺方向であるものとして説明したがこれに限らず、他の方向であってもよい。
【００４９】
以上の説明では、筐体３は、短辺方向に沿った方向が短辺、長辺方向に沿った方向が長辺となる略直方体状に形成されるものとして説明したがこれに限らない。
【００５０】
以上の説明では、第１筐体側係止部３１ｃは、係止爪部であり、第１カバー側係止部４２は、係合凹部であるものとして説明したがこれに限らず、この逆に例えば、第１筐体側係止部３１ｃが係合凹部であり、第１カバー側係止部４２が係止爪部であってもよい。同様に、第２筐体側係止部３１ｄ、第２カバー側係止部４４は、ともに係止爪部として形成されるものとして説明したが他の形式の係止構造であってもよい。
【００５１】
以上の説明では、カバー部材４は、第１規制突起部４５と、第２規制突起部４６と、突出部４７とを備えるものとして説明したがこれに限らず、これらを備えない構成であってもよい。
【符号の説明】
【００５２】
１    電気接続箱
２    電子部品
３    筐体
３ａ    外面
４    カバー部材
３１ｃ    第１筐体側係止部
３１ｄ    第２筐体側係止部
４１    覆い部
４１ｄ    第１端面
４１ｅ    第２端面
４２    第１カバー側係止部
４３    アーム部材
４３ａ    第１板状部
４３ｂ    第２板状部
４３ｃ    第１屈曲部
４３ｄ    第２屈曲部
４４    第２カバー側係止部
４５    第１規制突起部
４６    第２規制突起部
４７    突出部
Ｗ    電線
ＷＨ    ワイヤハーネス
【図１】
0006542627.tif 000002
【図２】
0006542627.tif 000003
【図３】
0006542627.tif 000004
【図４】
0006542627.tif 000005
【図５】
0006542627.tif 000006
【図６】
0006542627.tif 000007
【図７】
0006542627.tif 000008
【図８】
0006542627.tif 000009
【図９】
0006542627.tif 000010
【図１０】
0006542627.tif 000011
【図１１】
0006542627.tif 000012
【図１２】
0006542627.tif 000013